(57)【要約】【課題】本発明は、用紙の使用可否を識別できるプリンター装置及びその使用方法を提供する。【解決手段】本発明のプリンター装置は、給紙機構と、印刷機構と、処理機構と、を備え、給紙機構は用紙を印刷機構に送り、印刷が終った際用紙を送出し、印刷機構は印刷する過程において、インクを用紙に噴射し、処理機構は印刷執行指令を受けた際、給紙機構を制御して用紙を送り、印刷機構を制御し、給紙機構を制御して印刷した用紙を送出する。プリンター装置は更に用紙識別機構を備え、用紙識別機構は、用紙が使用可能かどうかを識別し、その結果を処理機構に送信し、処理機構は、印刷執行指令及び用紙識別機構が送信した識別結果によって、送られた用紙が使用可能かを判断し、用紙が使用可能である場合、印刷機構を制御し且つ給紙機構を制御して印刷し終えた用紙を送出し；用紙が使用不可能である場合、印刷機構を制御せず、給紙機構を制御して用紙を送出する。【選択図】図１
2013119257.tif 000002
【特許請求の範囲】
【請求項１】
給紙機構と、印刷機構と、処理機構と、を備え、前記給紙機構は用紙を前記印刷機構に送り且つ印刷が終った際該用紙を送出し、前記印刷機構は印刷する過程において、インクを該用紙に噴射し、前記処理機構は印刷執行指令を受けた際、前記給紙機構を制御して該用紙を送り、前記印刷機構を制御し且つ前記給紙機構を制御して印刷した用紙を送出するプリンター装置において、
前記プリンター装置は更に用紙識別機構を備え、該用紙識別機構は、用紙が使用可能かどうかを識別し且つその結果を前記処理機構に送信し、前記処理機構は、印刷執行指令及び前記用紙識別機構が送信した識別結果によって、送られた用紙が使用可能かどうかを判断し、該用紙が使用可能である場合、前記印刷機構を制御し且つ前記給紙機構を制御して印刷が終わった用紙を送出し；該用紙が使用不可能である場合、前記印刷機構を制御せず、前記給紙機構を制御して該用紙を送出することを特徴とするプリンター装置。
【請求項２】
前記用紙識別機構は、発光素子と、受光素子と、識別素子と、を備え、前記発光素子は、均一の光線を前記給紙機構によって送られた用紙の予備印刷面に発射し、前記受光素子は、該用紙から反射した光線を受け、前記識別素子は、受けた反射光線が均一かどうかを判断し、反射光線が均一の場合、前記識別素子は、送られた用紙面は使用可能であると識別することを特徴とする、請求項１に記載のプリンター装置。
【請求項３】
プリンター装置の印刷方法であって、給紙機構と、印刷機構と、用紙識別機構と、を備えるプリンター装置を提供するステップと、印刷執行指令が一面を印刷する指令である場合、前記給紙機構を制御して、用紙を送るステップと、前記用紙識別機構を制御して、送られた用紙が使用可能であるかどうかを識別するステップと、印刷執行指令及び前記用紙識別機構が送信した識別結果によって、送られた用紙が使用可能であるかどうかを判断するステップと、用紙が使用可能であると判断された場合、前記印刷機構を制御し、且つ前記給紙機構を制御して、印刷が終わった用紙を送出するステップと、用紙が使用不可能だと判断された場合、前記印刷機構を制御せず、前記給紙機構を制御して該用紙を送出するステップと、を備えることを特徴とするプリンター装置の印刷方法。
【発明の詳細な説明】
【技術分野】
【０００１】
本発明は、プリンター装置及びその使用方法、特に用紙の使用可否を識別できるプリンター装置及びその使用方法に関するものである。
【背景技術】
【０００２】
従来のプリンターは、用紙の使用可否を識別することができずそのまま印刷する。従って、プリンターに用紙の印刷したい面とは反対の面を入れてしまった場合、前記プリンターは該反対の面にそのまま印刷するので時間及びインクを浪費してしまう。
【発明の概要】
【発明が解決しようとする課題】
【０００３】
以上の問題点に鑑みて、本発明は、用紙の使用可否を識別できるプリンター装置及びその使用方法を提供することを目的とする。
【課題を解決するための手段】
【０００４】
本発明のプリンター装置は、給紙機構と、印刷機構と、処理機構と、を備え、前記給紙機構は用紙を前記印刷機構に送り且つ印刷が終った際該用紙を送出し、前記印刷機構は印刷する過程において、インクを該用紙に噴射し、前記処理機構は印刷執行指令を受けた際、前記給紙機構を制御して該用紙を送り、前記印刷機構を制御し且つ前記給紙機構を制御して印刷した用紙を送出する。また、前記プリンター装置は更に用紙識別機構を備え、該用紙識別機構は、用紙が使用可能かどうかを識別し且つその結果を前記処理機構に送信し、前記処理機構は、印刷執行指令及び前記用紙識別機構が送信した識別結果によって、送られた用紙が使用可能かどうかを判断し、該用紙が使用可能である場合、前記印刷機構を制御し且つ前記給紙機構を制御して印刷が終わった用紙を送出し；該用紙が使用不可能である場合、前記印刷機構を制御せず、前記給紙機構を制御して該用紙を送出する。
【０００５】
本発明のプリンター装置の印刷方法は、給紙機構と、印刷機構と、用紙識別機構と、を備えるプリンター装置を提供するステップと、印刷執行指令が一面を印刷する指令である場合、前記給紙機構を制御して、用紙を送るステップと、前記用紙識別機構を制御して、送られた用紙が使用可能であるかどうかを識別するステップと、印刷執行指令及び前記用紙識別機構が送信した識別結果によって、送られた用紙が使用可能であるかどうかを判断するステップと、用紙が使用可能であると判断された場合、前記印刷機構を制御し、且つ前記給紙機構を制御して、印刷が終わった用紙を送出するステップと、用紙が使用不可能だと判断された場合、前記印刷機構を制御せず、前記給紙機構を制御して該用紙を送出するステップと、を備える。
【発明の効果】
【０００６】
本発明に係るプリンター装置は、その内部に、用紙識別機構が設置され、該用紙識別機構によって送られてきた用紙が使用可能だと識別されると印刷が開始されるので、印刷時間を節約でき且つ印刷効率を高めることができる。
【図面の簡単な説明】
【０００７】
【図１】本発明に係るプリンター装置の構造を示す図である。
【図２】図１に示したプリンター装置の用紙の使用可否の識別方法の流れ図である。
【図３】図１に示したプリンター装置の印刷方法の流れ図である。
【発明を実施するための形態】
【０００８】
以下、図面に基づいて、本発明に係るプリンター装置について詳細に説明する。
【０００９】
図１に示したように、本発明に係るプリンター装置１０は、給紙機構１０１と、印刷機構１０３と、用紙識別機構１０５と、処理機構１０７と、を備える。プリンター装置１０は印刷機である。
【００１０】
給紙機構１０１は、ローラーの回転によって用紙を印刷機構１０３に送り、印刷が終わると該用紙を送出する。印刷機構１０３は印字ヘッドであり、印刷する過程においてインクを該用紙に噴射する。用紙識別機構１０５は用紙が使用できるかどうかを識別し且つ該結果を処理機構１０７に送信する。また、処理機構１０７は印刷機構１０３からの印刷執行指令を受けると、給紙機構１０１を制御して用紙を送らせ、印刷執行指令及び用紙識別機構１０５が送信した識別結果に基づいて、給紙機構１０１から送られてきた用紙が使用可能かどうかを更に判断する。該用紙が使用可能であると判断した場合、印刷機構１０３を制御して用紙を印刷した後、給紙機構１０１を制御して印刷し終えた用紙を送出する。該用紙が使用不可であると判断した場合、給紙機構１０１を制御して該用紙を送出する。この際、印刷機構１０３は制御されない。
【００１１】
用紙識別機構１０５は、発光素子１０５１と、受光素子１０５３及び識別素子１０５５と、を備える。
【００１２】
また、処理機構１０７は、受信モジュール１０７１と、判断モジュール１０７３と、制御モジュール１０７５と、を備える。
【００１３】
プリンター装置１０は、以下のステップによって用紙の使用可否を識別する。
【００１４】
ステップＳ２１において、発光素子１０５１は、給紙機構１０１によって送られてきた用紙の予備印刷面（ここで、発光素子１０５１と対向する面を予備印刷面とする）に均一な光線を発射する。ここで発光素子１０５１は光源である。該発光素子１０５１は、送られてきた用紙の予備印刷面の真上或いは真下に設置される。
【００１５】
ステップＳ２２において、受光素子１０５３は用紙から反射した光線を受ける。受光素子１０５３及び発光素子１０５１は、該用紙の予備印刷面の同一側に設置される。
【００１６】
ステップＳ２３において、識別素子１０５５は、受けた反射光線が均一かどうかを判断し、反射光線が均一の場合、ステップＳ２４に進む。反射光線が不均一の場合、ステップＳ２５に進む。反射光線が均一かどうかの判断方法は、従来の技術と同じであり、例えば、受光素子１０５３は光電変換装置であり、識別素子１０５５は該光電変換装置によって変換された電流量を比較して判断する。
【００１７】
ステップＳ２４において、識別素子１０５５は、給紙機構１０１から送られてきた用紙面が使用可能であると識別する。
【００１８】
ステップＳ２５において、識別素子１０５５は、給紙機構１０１から送られてきた用紙面が使用不可能であると識別する。
【００１９】
プリンター装置１０は、以下のステップによって印刷する。
【００２０】
ステップＳ３１において、受信モジュール１０７１は、印刷機構１０３からの印刷執行指令を受信すると、給紙機構１０１を制御して用紙を送らせる。
【００２１】
ステップＳ３２において、用紙識別機構１０５は、送られてきた用紙を識別し且つ該識別結果を受信モジュール１０７１に送信する。本発明の実施形態において、印刷執行指令が一面のみを印刷する指令である場合、制御モジュール１０７５は、用紙識別機構１０５を制御して、予備印刷面が使用可能かどうかを識別させる。印刷執行指令が両面を印刷する指令である場合、制御モジュール１０７５は用紙識別機構１０５を制御して、送られてきた用紙の両面が使用可能かどうかを識別させる。
【００２２】
ステップＳ３３において、判断モジュール１０７３は、印刷執行指令及び用紙識別機構１０５が送信した識別結果に基づいて、送られてきた用紙が使用可能かどうかを更に判断する。該用紙が使用不可能である場合、ステップＳ３５に進む。送られてきた用紙が使用可能である場合、ステップＳ３４に進む。
【００２３】
つまり、印刷執行指令が一面のみを印刷する指令であり、用紙識別機構１０５が送信した識別結果が使用可能である場合、判断モジュール１０７３は送られてきた用紙の一面は使用可能であると判断する。印刷執行指令が両面を印刷する指令であり、用紙識別機構１０５が送信した識別結果が使用可能である場合、判断モジュール１０７３は送られてきた用紙の両面は使用可能である判断する。しかし、印刷執行指令が両面を印刷する指令であり、用紙識別機構１０５が送信した識別結果が一面或いは両面が使用不可能である場合、判断モジュール１０７３は送られてきた用紙は使用不可能だと判断する。
【００２４】
ステップＳ３４において、制御モジュール１０７５が印刷機構１０３を制御した場合、ステップＳ３６に進む。
【００２５】
ステップＳ３５において、制御モジュール１０７５が印刷機構１０３を制御しない場合、ステップＳ３６に進む。
【００２６】
ステップＳ３６において、制御モジュール１０７５は給紙機構１０１を制御して、用紙を送出させる。
【００２７】
本発明のプリンター１０は、その内部に、用紙識別機構１０５が設置され、該用紙識別機構１０５が送られてきた用紙は使用可能だと識別すると印刷が開始されるので、印刷時間を節約でき且つ印刷効率を高めることができる。
【符号の説明】
【００２８】
１０  プリンター装置
１０１  給紙機構
１０３  印刷機構
１０５  用紙識別機構
１０７  処理機構
１０５１  発光素子
１０５３  受光素子
１０５５  識別素子
１０７１  受信モジュール
１０７３  判断モジュール
１０７５  制御モジュール
【図１】
2013119257.tif 000003
【図２】
2013119257.tif 000004
【図３】
2013119257.tif 000005